(57)【特許請求の範囲】
【請求項１】
入金口が設けられた機体と、
前記入金口に投入される紙幣を１枚ずつ取込んで識別し、種類別に分類する取込み搬送手段と、
この取込み搬送手段により取込まれた紙幣のうち還流使用可能な還流紙幣を金種別に一時保留したのち下方の収納庫へ上方から収納し、下方から繰出すとともに前記収納庫内の紙幣を区分可能なセパレータを有する複数の金種別収納手段と、
前記取込み搬送手段により取込まれた紙幣のうち還流使用し得ない非還流紙幣を一括して一時保留したのち、前記機体に対して着脱可能な収納庫へ上方から収納するとともに上方から繰出し可能な一括収納手段と、
前記各収納手段内の紙幣を再識別してその在高を確定する精査処理を指示する精査指示手段と、
この精査指示手段による精査処理の指示に基づき在高を確定させる制御手段と
を具有し、
この制御手段は、
前記一括収納手段内の非還流紙幣を、前記金種別収納手段のうち何れか一つの特定の収納手段へ移動させて、その特定の収納手段の前記収納庫において既に収納されている還流紙幣の上の前記セパレータ上に収納させることにより一括収納手段を空にし、
前記特定の収納手段内に既に収納されていた還流紙幣を空になった前記一括収納手段内へ移動させ、
再度その還流紙幣を、前記特定の収納手段へ戻すとき識別し、当該特定の収納手段の前記収納庫において残っている非還流紙幣の上の前記セパレータ上に収納させることにより一括収納手段を空にし、
前記特定の収納手段内の非還流紙幣を空になった一括収納手段へ戻すとき識別することにより一括収納手段と前記特定の収納手段の在高を確定させ、
他の金種別収納手段については、それぞれ、その収納庫において収納されている還流紙幣を、下方から繰出して当該収納庫へ上方から戻すときに識別し、当該収納庫における繰出し前の還流紙幣の上の前記セパレータ上に収納させることにより在高を確定する
ようにしたことを特徴とする紙幣処理装置。
【請求項２】
入金口が設けられた機体と、
前記入金口に投入される紙幣を１枚ずつ取込んで識別し、種類別に分類する取込み搬送手段と、
この取込み搬送手段により取込まれた紙幣のうち還流使用可能な還流紙幣を金種別に一時保留したのち下方の収納庫へ上方から収納し、下方から繰出すとともに前記収納庫内の紙幣を区分可能なセパレータを有する複数の金種別収納手段と、
前記取込み搬送手段により取込まれた紙幣のうち還流使用し得ない非還流紙幣を一括して一時保留したのち、前記機体に対して着脱可能な収納庫へ上方から収納するとともに上方から繰出し可能な一括収納手段と、
前記各収納手段内の紙幣を再識別してその在高を確定する精査処理を指示する精査指示手段と、
この精査指示手段による精査処理の指示に基づき在高を確定させる制御手段と
を具有し、
この制御手段は、
前記金種別収納手段のうち何れか一つの特定の収納手段内の還流紙幣を、何れかもう一つの金種別収納手段へ移動させて、そのもう一つの金種別収納手段の前記収納庫において既に収納されている還流紙幣の上に混合状態に収納させることにより前記特定の収納手段を空にし、
前記一括収納手段内の非還流紙幣を空になった前記特定の収納手段へ移動させ、
再度その非還流紙幣を前記一括収納手段へ戻すときに識別して在高を確定し、
前記もう一つの金種別収納手段から混合状態で収納されていた還流紙幣を繰出してそれぞれ該当する金種の金種別収納手段へ戻すとき識別して在高を確定すると共に、前記もう一つの金種別収納手段へ戻すときには、その収納庫において繰出し前の還流紙幣の上の前記セパレータ上に収納させ、
他の金種別収納手段については、それぞれ、その収納庫において収納されている還流紙幣を、下方から繰出して当該収納庫へ上方から戻すときに識別し、当該収納庫における繰出し前の還流紙幣の上の前記セパレータ上に収納させることにより在高を確定する
ようにしたことを特徴とする紙幣処理装置。
【発明の詳細な説明】
【０００１】
【発明の属する技術分野】
本発明は、銀行等の金融機関で用いられ、紙幣の入出金処理や整理処理を行う紙幣処理装置に係り、特に装置内に存在する紙幣を再識別してその在高を確定する精査処理機能を備えた紙幣処理装置に関する。
【０００２】
【従来の技術】
従来、紙幣の入出金処理や整理処理を行うための紙幣処理装置として、例えば特開平１−２６９９７号公報に記載のものがある。この装置は、紙幣を収納する４個の収納庫を備え、そのうち３個の収納庫が固定収納庫とされて紙幣を上部から収納集積するとともに下部から繰出すようになされ、残る１個の収納庫は装置から取出して運搬することができるカセットタイプとされており、この収納庫には紙幣を上部から収納するのみで繰出すことはできない構成である。
【０００３】
上記３個の固定収納庫には出金等のために還流使用可能な紙幣を金種別に収納するようにし、カセットタイプの収納庫には還流使用し得ない損券のような非還流紙幣を収納するようになされている。そしてカセットタイプの収納庫は、固定収納庫内の紙幣を回収して他所へ運搬する用途にも供されるようになっている。
【０００４】
上記のような装置において、装置内に存在する紙幣を再識別してその在高を確定する精査処理を行うには、各固定収納庫内の紙幣を下部から繰出して同じ収納庫の上部から戻すことによりその間に再識別して在高を確定することになる。またそのとき繰出された紙幣と繰出し前の紙幣とが混ざらないようにするためセパレータ手段によって区分けするようになされており、カセットタイプの収納庫についてはその収納庫を装置から取出してその内部の紙幣を別途回収するようになっている。
【０００５】
他の従来技術として特開平７−９３６３６号公報に示される装置がある。この装置も紙幣を種類別に収納する４個の収納庫を有し、この４個の収納庫がすべて固定収納庫とされていて紙幣を上部から収納して下部から繰出すようになっており、このうち３個の収納庫には前述の従来例と同様に還流使用可能な紙幣を金種別に収納し、残る１個の収納庫には還流使用し得ない非還流紙幣を収納するようになされたものである。そして上記非還流紙幣を回収するときには、下部から紙幣を繰出して金種別の一時保留部へ振り分けて運搬し、その一時保留部から人手により取出すようになされている。
【０００６】
上記の装置にいおても、装置内の紙幣を再識別してその在高を確定する精査処理を行う場合は、すべての収納庫について前述の従来例の３個の固定収納庫の場合と同様に紙幣を下部から繰出して同じ収納庫へ上部から戻すことにより再識別し、在高を確定するようになされている。
【０００７】
【発明が解決しようとする課題】
しかるに前者の従来技術では、損券のような非還流紙幣はカセットタイプの収納庫に収納して回収するのみであるため、装置内に存在するすべての紙幣を精査してその在高を確定する精査処理を行うことができないという問題があり、また後者の従来技術では、すべての収納庫が装置内に固定のものであるため、カセットでの紙幣の回収を図ることができないという問題があった。
【０００８】
また紙幣をカセットの上部から繰込み、下部から繰出すカセット構造とすると、カセット自体に上部および下部の２箇所に開口を設けることが必要となってその閉鎖手段も２箇所に必要となり、さらに繰出し手段もカセット内に設けるとするとカセットが大型かつ重量が増大し、運搬時に著しく不利となる。
【０００９】
さりとてカセット外の下部の機体内に繰出し手段を設けるようにすると、カセットの底部に繰出しのためのローラが進入する大きな開口が必要となり、カセットを取出したとき上記開口を閉鎖する手段がさらに必要になるなどの問題がある。
【００１０】
【課題を解決するための手段】
本発明は、装置から非還流紙幣をカセットにより回収することができながら非還流紙幣を含んで装置内に存在するすべての紙幣の在高を確定する精査処理を可能とする紙幣処理内を提供することを課題とするもので、その課題を解決する手段として請求項１に記載の発明は、入金口が設けられた機体と、前記入金口に投入される紙幣を１枚ずつ取込んで識別し、種類別に分類する取込み搬送手段と、この取込み搬送手段により取込まれた紙幣のうち還流使用可能な還流紙幣を金種別に一時保留したのち下方の収納庫へ上方から収納し、下方から繰出すとともに前記収納庫内の紙幣を区分可能なセパレータを有する複数の金種別収納手段と、前記取込み搬送手段により取込まれた紙幣のうち還流使用し得ない非還流紙幣を一括して一時保留したのち、前記機体に対して着脱可能な収納庫へ上方から収納するとともに上方から繰出し可能な一括収納手段と、前記各収納手段内の紙幣を再識別してその在高を確定する精査処理を指示する精査指示手段と、この精査指示手段による精査処理の指示に基づき在高を確定させる制御手段とを具有し、この制御手段は、前記一括収納手段内の非還流紙幣を、前記金種別収納手段のうち何れか一つの特定の収納手段へ移動させて、その特定の収納手段の前記収納庫において既に収納されている還流紙幣の上の前記セパレータ上に収納させることにより一括収納手段を空にし、前記特定の収納手段内に既に収納されていた還流紙幣を空になった前記一括収納手段内へ移動させ、再度その還流紙幣を、前記特定の収納手段へ戻すとき識別し、当該特定の収納手段の前記収納庫において残っている非還流紙幣の上の前記セパレータ上に収納させることにより一括収納手段を空にし、前記特定の収納手段内の非還流紙幣を空になった一括収納手段へ戻すとき識別することにより一括収納手段と前記特定の収納手段の在高を確定させ、他の金種別収納手段については、それぞれ、その収納庫において収納されている還流紙幣を、下方から繰出して当該収納庫へ上方から戻すときに識別し、当該収納庫における繰出し前の還流紙幣の上の前記セパレータ上に収納させることにより在高を確定するようにしたことにある。
【００１１】
また請求項２に記載の発明は、入金口が設けられた機体と、前記入金口に投入される紙幣を１枚ずつ取込んで識別し、種類別に分類する取込み搬送手段と、この取込み搬送手段により取込まれた紙幣のうち還流使用可能な還流紙幣を金種別に一時保留したのち下方の収納庫へ上方から収納し、下方から繰出すとともに前記収納庫内の紙幣を区分可能なセパレータを有する複数の金種別収納手段と、前記取込み搬送手段により取込まれた紙幣のうち還流使用し得ない非還流紙幣を一括して一時保留したのち、前記機体に対して着脱可能な収納庫へ上方から収納するとともに上方から繰出し可能な一括収納手段と、前記各収納手段内の紙幣を再識別してその在高を確定する精査処理を指示する精査指示手段と、この精査指示手段による精査処理の指示に基づき在高を確定させる制御手段とを具有し、この制御手段は、前記金種別収納手段のうち何れか一つの特定の収納手段内の還流紙幣を、何れかもう一つの金種別収納手段へ移動させて、そのもう一つの金種別収納手段の前記収納庫において既に収納されている還流紙幣の上に混合状態に収納させることにより前記特定の収納手段を空にし、前記一括収納手段内の非還流紙幣を空になった前記特定の収納手段へ移動させ、再度その非還流紙幣を前記一括収納手段へ戻すときに識別して在高を確定し、前記もう一つの金種別収納手段から混合状態で収納されていた還流紙幣を繰出してそれぞれ該当する金種の金種別収納手段へ戻すとき識別して在高を確定すると共に、前記もう一つの金種別収納手段へ戻すときには、その収納庫において繰出し前の還流紙幣の上の前記セパレータ上に収納させ、他の金種別収納手段については、それぞれ、その収納庫において収納されている還流紙幣を、下方から繰出して当該収納庫へ上方から戻すときに識別し、当該収納庫における繰出し前の還流紙幣の上の前記セパレータ上に収納させることにより在高を確定するようにしたことにある。
【００１２】
【発明の実施の態様】
以下、本発明を図面に示す実施の形態を参照して説明する。
図１は本発明に係る紙幣収納装置の適用対象例として紙幣入出金機を示す略示断面図で、その構成の概要を説明すると、機体１の上部には入金すべき紙幣Ｐを立位姿勢でセットする入金口２が設けられ、この入金口２には最前位の紙幣Ｐを１枚ずつ繰込むためのキッカローラ３、フィードローラ４、ゲートローラ５等からなる繰込み手段６が設けられており、紙幣Ｐの背後を押圧する押圧部材７により最前位の紙幣Ｐが繰込み手段６に所定の押付け力により当接されるようになっている。
【００１３】
前記繰込み手段６により繰込まれた紙幣を搬送する取込み搬送路には、紙幣Ｐの真偽、金種、正損等を判別する識別部８が設けられ、この識別部８の下流には前記入金口２の背後位置に設けられているリジェクト口９へリジェクト紙幣と識別された紙幣を繰込むための搬送路１０が分岐され、またその分岐点より下流側には表裏反転部１１が設けられている。
【００１４】
上記搬送路の末端位置の上方部には出金口１２が設けられており、この出金口１２の下部には出金リジェクト紙幣Ｐ′を収納する出金リジェクト箱１３が設けられている。上記出金口１２へは周知のように搬送路１４により出金紙幣が送り込まれ、その出金紙幣は図示しない押動手段により紙面に対し手前側に押し出されるようになっており、また出金リジェクトの場合は出金口１２の底部を構成している左右一対の底板１５，１５が下方に開いて出金リジェクト箱１３内に取込むようになっている。
【００１５】
上記各部は機体１の上部領域内に配設され、この上部領域の下部の中間領域には紙幣を一時保留するための一時保留部が、その下方の下部領域には紙幣収納装置が配設され、この下部領域は機体１に対し一括引出し可能な構成とされる。
【００１６】
前記下部領域には、固定金庫としての万円紙幣用、５千円紙幣用、千円紙幣用の第１〜第３収納庫１６1 ，１６2 ，１６3 が配設されるほか、機体１内の紙幣を回収して精算等の処理時に他所へ運搬するための第４収納庫として本発明でいう一括収納手段を構成する回収カセット１７が着脱可能に収蔵されている。
【００１７】
また上記各収納庫１６1 ，１６2 ，１６3 および回収カセット１７の直上位置の中間領域内には第１〜第４一時保留部１８1 ，１８2 ，１８3 ，１９が配設され、これら収納庫１６1 ，１６2 ，１６3 の一時保留部１８1 ，１８2 ，１８3 の上部位置には前記識別部８による識別結果に基づいて各収納庫に対応する金種の紙幣を送り込むため分岐路２０を経て搬送する搬送路２１および送込み手段２２，２２…が配設されており、一時保留部１８1 ，１８2 ，１８3 内には一時保留紙幣Ｐを収納庫１６1 ，１６2 ，１６3 内に一括して収納する際に開く昇降自在な一対の底板２３，２３があって入金承認時に収納するようになっている。一時保留紙幣Ｐの収納不承認による返却は、機体１の前面の扉を解錠して開け、そこから手で取出すようになっている。また回収カセット１７の一時保留部１９は、送込み手段２４のほか繰出し手段２５を備え、回収カセット１７内の収納紙幣をも繰出すことができるようになっており、またそのとき底板２６，２６は左右にスライドして開閉されるようになっている。
【００１８】
前記収納庫１６1 ，１６2 ，１６3 の底部は若干傾斜されており、その傾斜の下端位置に繰出し口２７があって、下底部に設けられたキッカローラ２８、フィードローラ２９、ゲートローラ３０等からなる繰出し手段３１，３１…により紙幣を１枚ずつ繰出すようになっており、繰出された紙幣は搬送路３２，３３を通じて前記出金口１２への搬送路１４に連なり、搬送路３２の途中には出金識別部３４が設けられている。
【００１９】
したがって、入金時の紙幣の流れは、図１において入金口２に入金すべき紙幣Ｐを立位姿勢にセットし、繰込み手段６の駆動により１枚ずつ繰込まれ、識別部８を通る際に金種、正損、表裏等が判別され、表裏の反転を要する紙幣は表裏反転部１１を通って各金種別の一時保留部へ送り込まれ、損券は回収カセット１７の上方の一時保留部１９へ送り込まれる。またリジェクト紙幣はリジェクト口９へ戻される。
【００２０】
前記各収納庫１６1 ，１６2 ，１６3 にはセパレータ３５，３５…が収納庫内に進退自在に設けられ、回収カセット１７内には昇降自在な載置板３６が設けられている。
【００２１】
図２は上記図１の主要部を抽象化して示すものであり、機内に存在する紙幣の在高を確定するための精査処理を行う精査指示手段３７を有し、この指示手段３７による精査処理の指示に基づいて在高を確定する制御手段３８を有している。なお、図３、図４においては各紙幣の流れを分りやすくするため、万円紙幣をＰ0 、５千円紙幣をＰ5 、千円紙幣をＰ1 、損券紙幣をＰQ 、リジェクト紙幣をＰR として示す。
【００２２】
これを基に上記精査処理時における制御手段３８の制御内容について説明する。
【００２３】
図３（Ａ）〜（Ｈ）は請求項１に記載の発明の一態様を示すもので、図３の例では各収納庫１６1 ，１６2 ，１６3 および回収カセット１７内に紙幣がそれぞれ収納されている。これらの紙幣の精査処理を行うときは、精査指示手段３７に精査指示を入力すると、まず図３（Ｂ）に示すように回収カセット１７内の損券紙幣ＰQ を繰出し、識別部８を通る搬送路を通じて一つの収納庫（図３では５千円用収納庫１６2 ）の一時保留部１８2 へ送り込み、セパレータ３５上に堆積収納し、回収カセット１７を空にする。
【００２４】
上記のように一時保留部１８2 に入れられた損券紙幣ＰQ は収納庫１６2 のセパレータ３５上に堆積され、５千円紙幣Ｐ5 とは区切られる。
【００２５】
次いで上記収納庫１６2 に元々入っていた５千円紙幣Ｐ5 を図３（Ｃ）のように下部から繰出して搬送路３２，２１を通じ空になった回収カセット１７の一時保留部１９を経て回収カセット１７内の載置板３６上に堆積収納し、次に回収カセット１７に収納された５千円紙幣Ｐ5 が５千円用の収納庫１６2 のセパレータ３５上に識別部８を通して戻される（図３（Ｄ））。これにより５千円紙幣Ｐ5 の精査が終り、５千円紙幣Ｐ5 の在高が確定する。
【００２６】
続いて５千円用収納庫１６2 のセパレータ３５の下に収納されている損券紙幣ＰQ が下部から繰出され、搬送路３２、出金識別部３４、搬送路２１を通って回収カセット１７へ送られ（図３（Ｅ））、損券紙幣ＰQ の在高が確定する。
【００２７】
次いで万円用収納庫１６1 内の万円紙幣Ｐ0 が繰出され、出金識別部３４を通してその収納庫１６1 の一時保留部１８1 へ送り込まれ、セパレータ３５上に収納され、万円紙幣Ｐ0 の在高を確定する（図３（Ｆ））。
【００２８】
さらに図３（Ｇ）のように千円用収納庫１６3 内の千円紙幣Ｐ1 が繰出されてその収納庫１６3 の一時保留部１８3 へ送り込まれ、セパレータ３５上に収納されて千円紙幣Ｐ1 の在高が確定する。
【００２９】
上記の処理過程において２枚繰出しや斜行等によるリジェクト紙幣も通常の処理時に生じたリジェクト紙幣と共にリジェクト箱１３内に入っているので、最後にリジェクト箱１３内のリジェクト紙幣ＰR を入金口２へ手で戻し、この紙幣を繰込んで識別し、各対応する収納庫１６1 〜１６3 へ収納し、損券であれば回収カセット１７またはリジェクト口９へ送られる（図３（Ｈ））。
【００３０】
上記により装置内に存在するすべての紙幣の在高が確定し、精査処理が完了する。
【００３１】
図４（Ａ）〜（Ｇ）は請求項２に記載の発明の一態様を示すもので、図４（Ａ）の状態から精査指示手段３７により精査指示が入力されると、図４（Ｂ）に示すように万円用収納庫１６1 から万円紙幣Ｐ0 を繰出して千円用収納庫１６3 内の千円紙幣Ｐ1 上に仕切ることなく混合状態に送り込んで万円用収納庫１６1 を空にし、次いで回収カセット１７内の紙幣を万円用収納庫１６1 の一時保留部１８1 へ送り込み、空の万円用収納庫１６1 のセパレータ３５上へ収納する（図４（Ｃ））。そしてその収納庫１６1 内に収納した損券紙幣ＰQ を回収カセット１７へ戻し、損券紙幣ＰQ の在高を確定する（図４（Ｄ））。
【００３２】
次に前記千円用収納庫１６3 に元々入っている千円紙幣Ｐ1 と先程入った万円紙幣Ｐ0 を繰出し、出金識別部３４により識別して各対応する収納庫１６1 ，１６3 のセパレータ３５上へ送り込み、これにより千円紙幣Ｐ1 、万円紙幣Ｐ0 の在高が確定する（図４（Ｅ））。
【００３３】
次いで５千円用収納庫１６2 内の５千円紙幣Ｐ5 を繰出してその上部の一時保留部１８2 へ送り込み、セパレータ３５上に収納することによって５千円紙幣Ｐ5 の在高が確定する（図４（Ｆ））。
【００３４】
最後に図３の場合と同様にリジェクト箱１３内に入ったリジェクト紙幣ＰR を入金口２へ手で戻し、前記と同様にそれぞれ対応する箇所に分類収納する（図４（Ｇ））。
【００３５】
以上により装置内に存在するすべての紙幣の在高を確定することができ、精査処理が完了する。
【００３６】
なお前述の紙幣の流れは一例を示したもので、どの収納庫をどのような順番で使用するかは制御手段３８の制御回路の設計上任意に選定することができ、図３、図４の流れに限られるものではないことはもちろんである。
【００３７】
【発明の効果】
以上説明したように本発明によれば、損券のように環流使用し得ない非還流紙幣の精査処理も還流使用可能な還流紙幣と共に精査処理することができ、それでいて非還流紙幣を収納する一括収納手段の収納庫は機体から取り外して他所への運搬が可能となり、従来技術の問題点をすべて解消することができる。また一括収納手段の収納庫は、紙幣を上部から収納し、上部から繰出すので、開口は上部の１箇所のみとなり、その閉鎖手段も１箇所に設ければ足り、これらにより一括収納手段の収納庫の構造が複雑化しないとともに小型で軽量なものとすることができ、運搬も容易になる効果が得られる。
【図面の簡単な説明】
【図１】本発明の適用対象である紙幣処理機の一例を示す略示断面図。
【図２】図１の各部を要約した説明図。
【図３】（Ａ）〜（Ｈ）は請求項１に対応する制御内容を示す紙幣の流れの説明図。
【図４】（Ａ）〜（Ｇ）は請求項２に対応する制御内容を示す紙幣の流れの説明図。
【符号の説明】
１  機体
２  入金口
６  繰込み手段
８  識別部
９  リジェクト口
１２  出金口
１３  リジェクト箱
１６1 〜１６3   金種別収納手段としての収納庫
１７  一括収納手段としての回収カセット
１８1 〜１８3 ，１９  一時保留部
３４  出金識別部
３５  セパレータ
３６  載置板
【図１】
0003805458.tif 000002
【図２】
0003805458.tif 000003
【図３】
0003805458.tif 000004
【図４】
0003805458.tif 000005